(57)【要約】【課題】偽造券の確認と偽造券使用の証拠を確保できる紙葉類処理装置を提供する。【解決手段】紙葉類処理装置は、利用者を特定する利用者特定部と、入金処理すべき紙葉類を載置する投入部と、前記投入部に載置された紙葉類を順次取り込む繰出部と、前記繰出部により取り込まれた紙葉類を正券、偽券、真偽不確定券、リジェクト券の４つのカテゴリーに分類して識別する識別部と、前記識別部で識別された、リジェクト券以外の正券、偽券、真偽不確定券を一時保留する一時保留部と、一時保留した券を収納する複数の収納部と、前記識別部でリジェクト券と判定された紙葉類を返却するために蓄積するリジェクト部と、を備える。また、紙葉類処理システムではこのような紙葉類処理装置の記憶部に記憶された取引情報の転送を受けて取引情報を蓄積する、センタに備えられたデータベース装置と、前記データベース装置に蓄積された取引情報と発見された偽券あるいは真偽不確定券の取引情報をマッチングすることにより偽券の使用者を特定するトレース部と、を備える。【選択図】  図３
2004310594.tif 000002
【特許請求の範囲】
【請求項１】
利用者を特定する利用者特定部と、
入金処理すべき紙葉類を載置する投入部と、
前記投入部に載置された紙葉類を順次取り込む繰出部と、
前記繰出部により取り込まれた紙葉類を正券、偽券、真偽不確定券、リジェクト券の４つのカテゴリーに分類して識別する識別部と、
前記識別部で識別された、リジェクト券以外の正券、偽券、真偽不確定券を一時保留する一時保留部と、
前記一時保留部に一時保留した券を収納する複数の収納部と、
前記識別部でリジェクト券と判定された紙葉類を返却するために蓄積するリジェクト部と、を備えた紙葉類処理装置。
【請求項２】
投入した紙葉類に対する収納指示があったときには、前記一時保留部に一時保留された正券を前記収納部に収納し、返却指示があったときには、前記一時保留部に一時保留された正券を前記リジェクト部を介して前記投入部から返却し、前記正券を収納あるいは返却するいずれの場合も、前記偽券および前記真偽不確定券については前記収納部に収納するようにしたことを特徴とする請求項１に記載の紙葉類処理装置。
【請求項３】
前記一時保留部は１つのみ設けられたことを特徴とする、請求項１または２に記載の紙葉類処理装置。
【請求項４】
前記識別部は紙葉類の記番号データを読みとる記番号読み取り部をさらに有することを特徴とする請求項１ないし３のいずれかに記載の紙葉類処理装置。
【請求項５】
前記識別部は、入金時に入金紙幣から複数の識別センサによって取得した情報を各識別センサ毎に前記４つのカテゴリーに識別して紙葉類情報を記憶する記憶部を備えたことを特徴とする請求項１ないし４のいずれかに記載の紙葉類処理装置。
【請求項６】
少なくとも前記利用者特定部で得られた利用者情報、前記識別部で得られた紙葉類情報、紙葉類を識別した装置の装置情報を関連づけた取引情報を記憶する記憶部をさらに備えたことを特徴とする請求項１ないし５のいずれかに記載の紙葉類処理装置。
【請求項７】
少なくとも前記利用者特定部で得られた利用者情報、前記識別部で得られた紙葉類情報、紙葉類を識別した装置の装置情報を通信回線を通じて外部に伝送する通信部をさらに備えたことを特徴とする請求項１ないし６のいずれかに記載の紙葉類処理装置。
【請求項８】
請求項７に記載の複数の紙葉類処理装置と、
前記各紙葉類処理装置の前記記憶部に記憶された取引情報の転送を受けて取引情報を蓄積する、センタに備えられたデータベース装置と、
前記データベース装置に蓄積された取引情報と、発見された偽券あるいは真偽不確定券の取引情報をマッチングすることにより偽券の使用者を特定するトレース部と、を備えた紙葉類処理システム。
【発明の詳細な説明】
【０００１】
【発明の属する技術分野】
本発明は、紙幣などの紙葉類の入金処理を行う紙葉類処理装置および紙葉類処理システムに関する。
【０００２】
【従来の技術】
金融機関等で紙幣の入金処理を行う入金処理機を用いて入金する際、投入された紙幣を識別し、真と判断された正券（損券を含む）、偽と判断された偽券、正券と判断できない疑わしい真偽不確定券、連鎖、斜行などのリジェクト券の４つのカテゴリーに分類することが従来から行われている。
【０００３】
そして、正券以外の偽券、真偽不確定券、リジェクト券のいずれかであると識別された場合には、入金できないものとして顧客に返却するということが行われてきた。
【０００４】
【発明が解決しようとする課題】
しかしながら、偽造券の使用は犯罪であるので、偽券や真偽不確定券が使用された場合には、偽造券であるか否かを慎重に調べる必要がある。また、当該偽券・真偽不確定券は、犯罪行為の立証として用いることができる重要な証拠でもある。
【０００５】
従来提案されている技術としては、取り込まれた紙幣を鑑別して、偽造券の蓋然性が高いと判定されたときには、警報を発するようにした金券類受入装置が提案されている（特許第３３６８９０６号公報参照）。
【０００６】
ところが、従来の紙葉類処理装置では、偽券や真偽不確定券を返却してしまうために、偽造券の確認ができず、犯罪行為の証拠を失うという問題があった。
【０００７】
本発明は、このような問題を解決するためになされたもので、偽造券の確認と偽造券使用の証拠を確保できる紙葉類処理装置および紙葉類処理システムを提供することを目的とする。
【０００８】
【特許文献１】
特許第３３６８９０６号公報（特に請求の範囲）
【０００９】
【課題を解決するための手段】
本発明にかかる紙葉類処理装置によれば、利用者を特定する利用者特定部と、
入金処理すべき紙葉類を載置する投入部と、前記投入部に載置された紙葉類を順次取り込む繰出部と、前記繰出部により取り込まれた紙葉類を正券、偽券、真偽不確定券、リジェクト券の４つのカテゴリーに分類して識別する識別部と、前記識別部でリジェクト券以外の正券、偽券、真偽不確定券を一時保留する一時保留部と、前記一時保留部に一時保留した券を収納する複数の収納部と、前記識別部でリジェクト券と判定された紙葉類を返却するために蓄積するリジェクト部とを備えたことを特徴とする。
【００１０】
すなわち、顧客の銀行カードや指紋等で入金者を特定するとともに、投入された紙幣を識別するときには、複数の識別センサからの情報について、各識別センサ情報毎に４つのカテゴリーに分類し、この分類結果に基づいてその紙幣のカテゴリーを決定し、紙幣毎に紙幣情報として記憶装置等に記憶するようにしている。
【００１１】
この結果、装置内に取り込んだ紙葉類について十分な時間をかけて真偽を確認することができるようになり、犯罪を特定したり、利用者から事情を聞くことが容易になる。このような機能を持たせるには、運用仕様の変更だけですみ、メカ機構の追加変更が不要なので、既に市場で運用中の装置であっても適用可能である。
【００１２】
また、本発明にかかる紙葉類処理システムにおいては、複数の上記紙葉類処理装置と、前記各紙葉類処理装置の前記記憶部に記憶された取引情報の転送を受けて取引情報を蓄積する、センタに備えられたデータベース装置と、前記データベース装置に蓄積された取引情報と、発見された偽券あるいは真偽不確定券の取引情報をマッチングすることにより偽券の使用者を特定するトレース部と、を備える。
【００１３】
このシステムでは、紙葉類の識別情報と入金者（利用者）を対応させた情報をデータベース化した上でマッチング処理を行うようにしているので、偽券および真偽不確定券の使用者を特定でき、偽造券の確認と偽造券使用の証拠確保が容易となる。
【００１４】
【発明の実施の形態】
以下、図面を参照しながら本発明の実施の形態を詳細に説明する。以下の実施の形態では紙幣入金機を例にとって説明する。
【００１５】
図１は本発明の実施の一形態である紙幣入金機の概略構成を示す図である。
【００１６】
同図中、最上部分は繰出払出ユニット１０と称され、左端部には入金すべき紙幣が束の状態で例えば最大５０枚セットされる投入部（インレット部）１１が設けられ、ここにセットされた紙幣束は図示しないフォトセンサにより検知され、搬送路１２を束の状態で右端にある繰出部１４に搬送されるようになっている。搬送路の途中には搬送路に並行して損券等のリジェクト紙幣を例えば１００枚蓄積できるリジェクト部１３が設けられており、リジェクト紙幣を返却する際に搬送路と連結される。リジェクト部１３にリジェクト紙幣が蓄積されたときには図示しないフォトセンサで検知され、返却枚数として例えば１０〜１００枚を任意に指定可能となっている。
【００１７】
繰出部１４には束の状態で搬送された紙幣が蓄積されたことを検出する図示しないフォトセンサが設けられている。この繰出部には例えば１００枚の紙幣を集積することができ、この集積された紙幣は指令に応じて繰出部が動作することによって一枚ずつ繰出される。
【００１８】
紙幣入金機の中段は搬送ユニット２０と称される。この搬送ユニット２０は繰出部から一枚ずつ繰出された紙幣を搬送して必要な処理を行う部分であるが、その途中には紙幣の正偽や正損を判定する識別ユニット２１，紙幣の有する特有の記番号を読みとる記番号ユニット２２が設けられている。この記番号ユニット２２はオプション仕様になっており、設けられない場合もある。
【００１９】
また、識別ユニット２１での判定結果に基づいて紙幣を一時保留する一時保留部２３が設けられている。この一時保留部２３は例えば金種混合で最大保留枚数が１００枚となっており、カウンタにより１０〜１００枚を指定してフル検知とすることが設定可能となっている。この一時保留部は、例えば保留した逆順で紙幣を順次取り出すことのできる巻取式のものが好ましいが、積み重ね式のものも使用できる。
【００２０】
なお、識別ユニット２１、記番号ユニット２２および図示しないセンサで識別された結果出力される紙幣情報は、例えば１枚毎に図１２に示されるようなものであり、次のような情報が含まれる。
（ａ）  紙幣ＩＤ番号  一取引で計数した連番
（ｂ）  識別結果関係  紙幣を識別した結果得られた紙幣の固有の属性
カテゴリーコード（各センサ毎の識別結果を総合的に判断した識別結果）、国コード、金種コード、方向（表裏）コード、記番号、金種判別レベル（判断基準）、
（ｃ）  センサデータ関係  各所に設けられる各センサ毎の識別結果
透過型カラーセンサ１の赤のカテゴリー、透過型カラーセンサ１の赤外のカテゴリー、透過型カラーセンサ２青のカテゴリー、透過型カラーセンサ２赤外のカテゴリー，反射型赤外センサ１のカテゴリー、反射型赤外センサ２のカテゴリー、蛍光センサのカテゴリー、磁気センサのカテゴリー、スレッドセンサのカテゴリー、
（ｄ）  紙幣詳細データとしての紙幣イメージ情報
【００２１】
再び紙幣入金機の構成に戻ると、最下段は収納部３０となっている。収納部３０は、金種別あるいは金種混在で紙幣を回収するためのフロントカセット３１およびリアカセット３２並びに両者の中間に設けられた、偽造券および真偽不明な紙幣を収納するキャプチャビンと称される偽造券用収納部３３が設けられている。フロントカセットおよびリアカセットはそれぞれ例えば１５００枚の収納容量があり、図示しないフォトインタラプタによるニアフル検知機能およびニアフル検知以降例えば３００枚増加したことを検知するカセットフル検知機能を有している。
【００２２】
偽造券用収納部３３は例えば最大収納枚数が５０枚となっており、図示しないフォトセンサによる紙幣有無検知機能およびカウンタによるニアフル（例えば４０枚）検知機能、同じくカウンタによるフル（例えば５０枚）検知機能を有している。
【００２３】
なお、フロントカセット、キャプチャビンの数は適宜設ければ良く、偽造券と真偽不明な紙幣を分けて収納するようにしても良い。
【００２４】
図２は、この紙幣入金機における制御系および情報の伝送を説明するブロック図である。
【００２５】
搬送ユニット部の中に装置全体を制御するメインＣＰＵが設けられている。このメインＣＰＵは比較的高速処理の可能なマイクロコンピュータである。また、繰出払出ユニット１０、識別ユニット２１、記番号ユニット２２、一時保留ユニット２３、カセット３０にはそれぞれ繰出払出ユニットＣＰＵ１０１、識別ユニットＣＰＵ２１１、記番号ユニットＣＰＵ２２１、一時保留ユニットＣＰＵ２３１、カセットＣＰＵ３０１が設けられており、制御およびデータ転送機能を分担している。これらのＣＰＵはいずれも１チップマイクロコンピュータであるが、メインＣＰＵと比較すれば、低速かつ安価なもので十分である。
【００２６】
各ユニットのＣＰＵは各ユニットの制御を行うだけでなく、メインＣＰＵとの間で必要なデータの転送を行う。この場合、識別ユニットＣＰＵ２１１はメインＣＰＵに通信インターフェイスを介して識別データを送信し、記番号ユニットＣＰＵ２２１は記番号データを通信インターフェイスを介してメインＣＰＵに転送する。また、繰出払出ユニットＣＰＵ１０１、一時保留ユニットＣＰＵ２３１、カセットＣＰＵ３０１とメインＣＰＵ間では通信インタフェースを介して制御指令の送受信が行われる。さらに、メインＣＰＵからは偽券の鑑定のためのデータや処理記録が外部の管理コンピュータに対して送られ、その管理コンピュータから指示やデータを受け取るための通信インタフェース２０３を介して伝送系に接続される。
【００２７】
次にこの紙幣入金機の動作について図３ないし図９を参照して説明する。図３は動作の概略を示すフローチャート、図４ないし図９は図１に示した構成図における動作の模様を示す説明図である。
【００２８】
顧客の口座カード等が装置に挿入されると、顧客の情報を取得するとともに入金処理を開始する。なお、このとき、指紋を取得して顧客情報としても良い。
【００２９】
処理が開始されると、装置は上位の管理コンピュータからのイネーブル指令を受信することにより、各種の計数データをクリアして投入部１１のシャッタを開いて紙幣投入待ち状態になる。この状態で投入部１１に紙幣束が投入されたことが検知され、図示しない操作部から計数開始が操作されると、シャッタを閉じて図４に示されるように投入部１１の紙幣を繰出部１４まで搬送する（ステップＳ１）。
【００３０】
次に、図５に示されるように、繰出部１４において紙幣が１枚ずつ繰り出される（ステップＳ２）。繰り出された紙幣は識別ユニット２１において計数されるとともに、識別が行われる（ステップＳ３）。識別部では、真偽、金種を識別して正券、偽券、真偽不確定券、リジェクト券の４つのカテゴリーに分類する。紙幣の識別結果が正券か（ステップＳ４）、偽券か（ステップＳ５）、真偽不確定券か（ステップＳ６）の判断においていずれかに該当するのであれば、一時保留部に保留される（ステップＳ７）。この一時保留されたものについては、保留された順に図１２に示す識別情報が記憶される。
【００３１】
上記の正券、偽券、真偽不確定券のいずれでもないときには、連鎖、斜行などのリジェクト券であり、搬送経路を切り換えてリジェクト部１３にリジェクト券が収納される（ステップＳ２１）。これらの分類処理は繰出部１４における繰出しが終了するまで繰り返される（ステップＳ８，Ｓ２２）。
【００３２】
繰出しが終了した時点で、図６に示すように、まずリジェクト部１３に収納されたリジェクト券が投入部に送られ、返却される。
【００３３】
続いて、装置は上位の管理コンピュータからのディスエーブル指令を受信し、シャッタを閉じた後、一時保留部２３に一時保留された紙幣が処理されるが、この処理の態様としては収納か返却の２種類があり、いずれかが選択される（ステップＳ９）。
【００３４】
図７は収納の場合（ステップＳ９の収納の場合）を示しており、記憶された識別情報に基づいて、一時保留部から繰り出された紙幣が正券の場合にはカセットに収納され（ステップＳ１０．１１）、正券でない場合、すなわち偽券あるいは真偽不確定券についてはキャプチャビン３３に収納される（ステップＳ１０，１２）。カセットについては、フロントカセットとリアカセットで金種を分けて収納することも、金種混合でフロントカセットに収納し、満杯になったらリアカセットに収納するようにしても良い。
【００３５】
なお、この収納の際、記番号ユニットがある場合、収納される紙幣の記番号を読みとって識別情報に追加して紙幣情報として記憶するようにする。特にキャプチャビンに収納される偽券、真偽不確定券については記番号を記録することが望ましい。
【００３６】
一方、返却の場合（ステップＳ９の返却の場合）には、図８および図９に示すように、正券であればリジェクト部を介して投入部から返却されるが（ステップＳ１３、１４）、偽券あるいは真偽不確定券についてはキャプチャビン３３に収納される（ステップＳ１３，１２）。
【００３７】
以上のような処理が行われた取引について各種の情報が管理コンピュータに送られ、取引情報としてまとめられる。
【００３８】
この取引情報の詳細は、図１０に図示されており、１取引情報は装置番号、処理番号（入金、返却、入金返却等の処理の種類と処理の連番を組み合わせた番号）、年月日日時分秒からなる処理開始日時および処理終了日時、口座番号および指紋情報等から成る顧客情報、金種毎の枚数、金額、合計枚数、合計金額等からなる計数情報、処理枚数分の図１２に示す紙幣情報などからなる。この紙幣情報には前述した識別情報も含まれる。
【００３９】
なお、ここでは、収納および返却処理ともに取引情報を作成するようにしているが、偽券と真偽不確定券のみの情報としても良い。
【００４０】
このように、本発明の装置では、顧客（利用者）の情報と識別情報を含む紙幣情報を対応させて記憶しているので、偽造の確認、偽造券使用者の特定などの作業を容易に行うことができる。この処理を以下に説明する。
【００４１】
図１１は偽券の発見から使用者を特定するまでのプロセスを模式的に表した図である。
【００４２】
ここでは、銀行支店Ａ１００に備えられた２台の紙幣入金機１０００および１００１においてキャプチャビンに偽券あるいは真偽不確定券が数枚ずつ蓄積されたときの処理について述べる。
【００４３】
紙幣入金機１０００、１００１のメモリにはこれらの装置番号、紙幣情報および利用者情報等からなる取引情報が蓄積され、１日分の取引情報をまとめて銀行支店Ａ１００に備えられたターミナルコントローラ１０１を介して通信回線で銀行センタ３００に備えられた顧客情報データベース３０１に送られ、蓄積される。
【００４４】
紙幣入金機のキャプチャビンに蓄積された偽券あるいは真偽不確定券は真偽確定を行う判定機関２００（例えばヨーロッパの場合、ヨーロッパ中央銀行）に送られ、真偽について再鑑が行われる。この機関２００においても偽券と鑑定された場合、当該偽券は再度銀行支店Ａ１００の紙幣入金機１００１に投入し、利用者をＸとして識別情報を採取する。この時の偽券の紙幣情報（取引情報）はターミナルコントローラ１０１を介してただちに銀行センタ３００に送られ、銀行センタ３００のデータベース３０１に蓄積される。
【００４５】
このデータベース３０１にはトレースツール３０３であるコンピュータシステムが直接あるいはターミナルコントローラ３０２を介して通信回線で接続されており、蓄積された取引情報から紙幣入金機１００１の取引情報を取り出し、紙幣情報のうちのセンサ毎のカテゴリーデータと利用者Ｘのセンサ毎のカテゴリーデータとのマッチングを行い、一致した紙幣情報に関係づけられた利用者情報を取り出して使用者を特定することができる。このマッチング処理において、センサのカテゴリー照合で全く同じ照合度のものが２枚以上発見されたときには、紙幣情報のうちのイメージデータを用いた照合も行って紙幣を特定する。
【００４６】
図１１では、銀行センタのターミナルコントローラ３０２を介してトレースツール３０３を接続しているが、銀行支店Ａのターミナルコントローラ１０１に接続すればその場で確認できる。さらに、このように銀行支店Ａ１００に備えられたターミナルコントローラ１０１に接続したトレースツール３０３で、紙幣入金機から直接取り出した利用者Ｘの取引情報とデータベース３０１の情報をマッチングしても良い。
【００４７】
以上のように、このシステムでは、利用者情報と識別情報を対応させて記憶し、偽造券等が発見されたときには紙葉類処理装置内に取り込んで利用者に返さないようにした上で蓄積データとのマッチングを行うことにより、真偽の確認を確実に行うとともに利用者を特定することができるため、犯罪事実の特定や、該当する利用者からの事情聴取、犯罪者の手配等が容易となる。
【００４８】
【発明の効果】
以上のように、本発明にかかる紙葉類処理装置では、顧客情報を取得すると同時に取り込まれた紙葉類を正券、偽券、真偽不確定券、リジェクト券の４つのカテゴリーに分類するとともに、センサ毎のデータに対しても４つのカテゴリーに分類して利用者情報を対応させて記憶し、一旦一時保留して、偽券および真偽不確定券については特定の収納部に収納するようにしたので、再鑑や利用者の特定を容易に行うことができる。
【００４９】
また、本発明にかかる紙葉類処理システムではこのような紙葉類処理装置を用い、紙葉類の識別情報と入金者（利用者）を対応させた情報をデータベース化した上でマッチング処理を行うようにしているので、偽券および真偽不確定券の使用者を特定でき、偽造券の確認と偽造券使用の証拠確保が容易となる。
【００５０】
また、本発明の装置およびシステムは従来の装置をそのまま用い、運用仕様の変更だけですむため、メカ機構の追加変更が不要となって、稼働中の装置であっても広く適用することができる。
【図面の簡単な説明】
【図１】本発明の実施の一形態である紙幣入金機の概略構成を示す図である。
【図２】本発明の実施の一形態である紙幣入金機における制御系および情報の伝送を説明するブロック図である。
【図３】本発明の実施の一形態である紙幣入金機における動作の概略を示すフローチャートである。
【図４】本発明の実施の一形態である紙幣入金機における紙幣取り込みの様子を示す概念図である。
【図５】本発明の実施の一形態である紙幣入金機における繰り出し計数の様子を示す概念図である。
【図６】本発明の実施の一形態である紙幣入金機におけるリジェクト券の返却の様子を示す概念図である。
【図７】本発明の実施の一形態である紙幣入金機における一時保留部の紙幣を収納部に収納する様子を示す概念図である。
【図８】本発明の実施の一形態である紙幣入金機における一時保留部の紙幣を返却および収納する様子を示す概念図である。
【図９】図８に続いてリジェクト部に移送された正券を返却する様子を示す概念図である。
【図１０】取引情報の詳細を示す図表である。
【図１１】偽券確認から使用者の特定までのプロセスを示す模式的説明図である。
【図１２】紙葉類入金機で取得される紙幣情報の詳細を示す図表である。
【符号の説明】
１０  繰出払出ユニット
１１  投入部
１２  搬送経路
１３  リジェクト部
１４  繰出部
２０  搬送ユニット
２１  識別ユニット
２２  記番号ユニット
２３  一時保留部
３０  収納部
３１  フロントカセット
３２  リアカセット
３３  キャプチャビン
１００  銀行支店
２００  判定機関
３００  銀行センタ
１００１，１００２  紙幣入金機
【図１】
2004310594.tif 000003
【図２】
2004310594.tif 000004
【図３】
2004310594.tif 000005
【図４】
2004310594.tif 000006
【図５】
2004310594.tif 000007
【図６】
2004310594.tif 000008
【図７】
2004310594.tif 000009
【図８】
2004310594.tif 000010
【図９】
2004310594.tif 000011
【図１０】
2004310594.tif 000012
【図１１】
2004310594.tif 000013
【図１２】
2004310594.tif 000014